(57)【特許請求の範囲】
【請求項１】
無線通信ネットワークの下りリンクでシステム情報を送信する方法であって、
送信チャネル・サブフレームのシーケンスに重ね合わせられた複数の繰り返し時間ウィンドウ内でシステム情報を送信するステップと、
前記システム情報を搬送するために所与の時間ウィンドウ内の何れのサブフレームを使用するかを動的に選択するステップと、
前記選択されたサブフレームの各々に、当該サブフレームがシステム情報を搬送することを受信側ユーザ装置に対して知らせるためのインジケータを含めるステップと
を含むことを特徴とする方法。
【請求項２】
前記システム情報を搬送するために所与の時間ウィンドウ内の何れのサブフレームを使用するかを動的に選択する前記ステップは、
前記所与の時間ウィンドウ内の連続する複数のサブフレームのセットを選択するステップを含むことを特徴とする請求項１に記載の方法。
【請求項３】
前記システム情報を搬送するために所与の時間ウィンドウ内の何れのサブフレームを使用するかを動的に選択する前記ステップは、
前記所与の時間ウィンドウ内の連続しない複数のサブフレームのセットを選択するステップを含むことを特徴とする請求項１に記載の方法。
【請求項４】
前記システム情報を搬送するために所与の時間ウィンドウ内の何れのサブフレームを使用するかを動的に選択する前記ステップは、
他の制御シグナリング又はデータ・シグナリングに関連する競合する伝送特性を考慮して、システム情報の送信用に何れのサブフレームを使用するかを選択するステップを含むことを特徴とする請求項１に記載の方法。
【請求項５】
前記選択されたサブフレームの各々に、当該サブフレームがシステム情報を搬送することを受信側ユーザ装置に対して知らせるためのインジケータを含める前記ステップは、
前記サブフレームがシステム情報を搬送することを示すＲＮＴＩ（無線ネットワーク一時識別子）を使用するステップを含むことを特徴とする請求項１に記載の方法。
【請求項６】
前記選択されたサブフレームの各々に、当該サブフレームがシステム情報を搬送することを受信側ユーザ装置に対して知らせるためのインジケータを含める前記ステップは、
システム情報を搬送する前記所与の時間ウィンドウの最後のサブフレーム内で、システム情報の終端のインジケータを使用するステップを含むことを特徴とする請求項１に記載の方法。
【請求項７】
前記複数の繰り返し時間ウィンドウのウィンドウサイズを変化させるステップをさらに含むことを特徴とする請求項１に記載の方法。
【請求項８】
前記複数の繰り返し時間ウィンドウについてのウィンドウサイズを動的に設定するステップをさらに含むことを特徴とする請求項１に記載の方法。
【請求項９】
前記選択されたサブフレームの各々に、当該サブフレームがシステム情報を搬送することを受信側ユーザ装置に対して知らせるためのインジケータを含める前記ステップは、
特定のサブフレーム用に使用される前記インジケータが、当該サブフレーム内で搬送されるシステム情報の種類を知らせるように、異なる複数の種類のシステム情報に対応する異なる複数のインジケータを使用するステップを含むことを特徴とする請求項１に記載の方法。
【請求項１０】
ベースバンド・プロセッサを備えるネットワーク送信機であって、
前記ベースバンド・プロセッサは、
送信チャネル・サブフレームのシーケンスに重ね合わせられた複数の繰り返し時間ウィンドウ内のシステム情報を生成し、
システム情報を搬送するために時間ウィンドウ内の何れのサブフレームを使用するかを動的に選択し、
前記選択されたサブフレームの各々に、当該サブフレームがシステム情報を搬送することを受信側ユーザ装置に対して知らせるためのインジケータを含める
ことを特徴とするネットワーク送信機。
【請求項１１】
前記ネットワーク送信機は、３ＧＰＰ Ｅ−ＵＴＲＡ標準規格に従って動作する無線基地局から成り、前記インジケータは、無線ネットワーク一時識別子（ＲＮＴＩ）であることを特徴とする請求項１０に記載のネットワーク送信機。
【請求項１２】
連続する複数のサブフレームとして構築された下りリンク共有チャネルでシステム情報を送信する方法であって、
各時間ウィンドウが数個の連続するサブフレームの範囲に及ぶ、規則的に発生する複数の時間ウィンドウ内でシステム情報を送信するステップと、
前記複数の時間ウィンドウ内の、システム情報を搬送する各サブフレームにインジケータを含めることによって、前記複数の時間ウィンドウ内の何れのサブフレームがシステム情報を搬送するかを受信側ユーザ装置に対して知らせるステップと
を含むことを特徴とする方法。
【請求項１３】
前記インジケータは、システム情報無線ネットワーク一時識別子（ＳＩ−ＲＮＴＩ）であることを特徴とする請求項１２に記載の方法。
【請求項１４】
システム情報を搬送するために前記複数の時間ウィンドウ内の何れのサブフレームを使用するかを動的に選択するステップをさらに含むことを特徴とする請求項１２または１３に記載の方法。
【請求項１５】
前記システム情報は、３ＧＰＰ Ｅ−ＵＴＲＡ標準規格に従って動作する無線基地局によって、下りリンク共有チャネルで送信されることを特徴とする請求項１２から１４の何れか１項に記載の方法。
【請求項１６】
対応する無線通信ネットワークからシステム情報を移動局が受信する方法であって、
各繰り返し時間ウィンドウが多数のサブフレームの範囲に及ぶ、システム情報の送信に使用される複数の繰り返し時間ウィンドウ内で、システム情報の受信を監視するステップであって、
各時間ウィンドウ内で、システム情報の表示について各サブフレームを監視するとともに、当該システム情報が存在する場合に当該サブフレームからシステム情報を読み取るステップと、
前記時間ウィンドウの終端でまたはそれより前に監視を終了するステップと、
によって、システム情報の受信を監視する前記ステップを含むことを特徴とする方法。
【請求項１７】
前記表示は、システム情報無線ネットワーク一時識別子（ＳＩ−ＲＮＴＩ）であることを特徴とする請求項１６に記載の方法。
【請求項１８】
前記無線通信ネットワークは、３ＧＰＰ Ｅ−ＵＴＲＡ標準規格に従って動作することを特徴とする請求項１６または１７に記載の方法。
【請求項１９】
前記時間ウィンドウ内で受信したサブフレーム内の、システム情報の終端のインジケータを認識するとともに、それに応じて、当該時間ウィンドウ内でのシステム情報の受信の監視を終了するステップをさらに含むことを特徴とする請求項１６に記載の方法。
【請求項２０】
前記時間ウィンドウ用に使用される、変化するウィンドウサイズ又は設定変更可能なウィンドウサイズに適応するステップをさらに含むことを特徴とする請求項１６に記載の方法。
【請求項２１】
システム情報の送信を監視するための既定のウィンドウサイズを格納するステップをさらに含むことを特徴とする請求項１６に記載の方法。
【請求項２２】
前記既定のウィンドウサイズではなく受信した情報に表示された特定のウィンドウサイズに基づいて、システム情報の送信について監視するステップをさらに含むことを特徴とする請求項２１に記載の方法。
【請求項２３】
異なる複数のサブフレーム内の異なる複数のシステム情報インジケータを認識することに基づいて、異なる複数の種類のシステム情報を認識するステップをさらに含むことを特徴とする請求項１６に記載の方法。
【請求項２４】
ベースバンド・プロセッサを備える移動局であって、
前記ベースバンド・プロセッサは、
各繰り返し時間ウィンドウが多数のサブフレームの範囲に及ぶ、システム情報の送信に使用される複数の繰り返し時間ウィンドウ内で、システム情報の受信を監視し、
前記ベースバンド・プロセッサは、
各時間ウィンドウ内で、システム情報の表示について各サブフレームを監視するとともに、当該システム情報が存在する場合に当該サブフレームからシステム情報を読み取り、
前記時間ウィンドウの終端でまたはそれより前に監視を終了する
ことによって、システム情報の受信を監視することを特徴とする移動局。
【請求項２５】
前記表示は、システム情報無線ネットワーク一時識別子（ＳＩ−ＲＮＴＩ）であることを特徴とする請求項２４に記載の移動局。
【請求項２６】
３ＧＰＰ Ｅ−ＵＴＲＡ標準規格に従って動作することを特徴とする請求項２４または２５に記載の移動局。
【請求項２７】
前記ベースバンド・プロセッサは、
前記時間ウィンドウ内で受信したサブフレーム内の、システム情報の終端のインジケータを認識するとともに、それに応じて、当該時間ウィンドウ内でのシステム情報の受信の監視を終了することを特徴とする請求項２４に記載の移動局。
【請求項２８】
前記ベースバンド・プロセッサは、
前記時間ウィンドウ用に使用される、変化するウィンドウサイズ又は設定変更可能なウィンドウサイズに適応することを特徴とする請求項２４に記載の移動局。
【請求項２９】
前記ベースバンド・プロセッサは、
既定のウィンドウサイズではなく受信した情報に表示された特定のウィンドウサイズに基づいて、システム情報の送信について監視することを特徴とする請求項２４に記載の移動局。
【請求項３０】
前記ベースバンド・プロセッサは、
異なる複数のサブフレーム内の異なる複数のシステム情報インジケータに基づいて、異なる複数の種類のシステム情報を認識することを特徴とする請求項２４に記載の移動局。
【発明の詳細な説明】
【技術分野】
【０００１】
本発明は、概して無線通信ネットワークに関するものであり、特に、３ＧＰＰ ＬＴＥ（Long Term Evolution）とも称される３ＧＰＰ Ｅ−ＵＴＲＡ（evolved Universal Terrestrial Radio Access）標準規格に従って構成された無線通信ネットワークにおける基地局によるシステム情報の送信といった、そのようなネットワーク内で動作しているユーザ装置（ＵＥ）に対するシステム情報の送信に関するものである。
【背景技術】
【０００２】
３ＧＰＰ ＬＴＥにおいて、下りリンクのユーザデータ伝送は、下りリンク共有チャネル（ＤＬ−ＳＣＨ）トランスポート・チャネル上で実行される。ＬＴＥにおいて、時間領域は、長さ１０ｍｓの無線フレームに分割され、各無線フレームは１０サブフレームから成り、各々の長さ１ｍｓは１４ＯＦＤＭ（直交周波数分割多重）シンボルに相当する。各サブフレームは２スロットから成り、各々の長さは０．５ｍｓ、即ち７ＯＦＤＭシンボルである。なお、時分割複信（ＴＤＤ）の場合、１フレームの複数のサブフレームの一部のみが下りリンク伝送に利用可能である。一方で、周波数分割複信（ＦＤＤ）の場合、下りリンクの搬送波上の全サブフレームを下りリンク伝送に利用可能である。
【０００３】
ＬＴＥにおいて、時間／周波数領域の物理リソースの全体は、複数のリソース・ブロックに分割され、各リソース・ブロックは、１スロットの期間において１２ＯＦＤＭサブキャリヤから成る。ＵＥへのＤＬ−ＳＣＨ伝送は、１サブフレーム期間におけるこのような複数のリソース・ブロックのセットを使用して実行される。物理下りリンク制御チャネル（ＰＤＣＣＨ）としても知られているレイヤ１／レイヤ２（Ｌ１／Ｌ２）制御シグナリングは、各サブフレームの最初に送信される。Ｌ１／Ｌ２制御チャネルは、典型的には、種々の事項についてＵＥに通知するために使用される。例えば、Ｌ１／Ｌ２制御チャネルは、ＤＬ−ＳＣＨが所与のサブフレームにおいてＵＥに対するデータを搬送するかどうかを特定し得る。より具体的には、Ｌ１／Ｌ２制御チャネルは、ＤＬ−ＳＣＨが所与のサブフレームにおいてデータを搬送する対象のＵＥに関連付けられたＲＮＴＩ（無線ネットワーク一時識別子：Radio Network Temporary Identifier）を含む。また、Ｌ１／Ｌ２制御チャネルは、物理リソース、より具体的には、所与のサブフレームにおいて特定のＵＥに対するＤＬ−ＳＣＨ伝送のために使用される複数のリソース・ブロックの特定のセットも特定する。さらに、Ｌ１／Ｌ２制御チャネルは、所与のサブフレームにおいて特定のＵＥに対するＤＬ−ＳＣＨ伝送のために使用されるトランスポート・フォーマット（例えば、変調方式及び符号化率）を特定する。異なる物理リソース（異なるリソース・ブロック）を使用する別々のＤＬ−ＳＣＨ伝送は、同一のサブフレームの期間中に異なるＵＥに対して実行され得る。この場合、所与のサブフレームにおけるＤＬ−ＳＣＨ伝送を受信する各ＵＥ用の、複数のＬ１／Ｌ２制御チャネルが存在する。
【０００４】
各セル内において、ユーザデータに加えてシステム情報も下りリンクで送信される。システム情報は、例えば、セルが「属する」（複数の）オペレータを識別する公衆陸上移動ネットワーク（ＰＬＭＮ：Public Land Mobile Network）の識別子／複数の識別子と、隣接セルリスト、即ち、現在セルに隣接するセルのリストと、ランダム・アクセス・パラメータ及びセル・アクセス制限等の、システムにアクセスする際にユーザ端末によって使用される異なるパラメータとを含む。システム情報は、２つの部分に分割することができ、１つの部分は固定であり、もう１つの部分は動的である。システム情報の固定部分は、予め定められた物理リソース、即ち、特定の時間期間中におけるＯＦＤＭサブキャリヤの特定のセットで送信される。このため、システム情報の固定部分における情報量には柔軟性がない。システム情報の固定部分のために使用される送信構造（物理リソース及びトランスポート・フォーマット）にも柔軟性がない。ＬＴＥにおいて、システム情報の固定部分は、ＢＣＨ（報知制御チャネル）トランスポート・チャネルを使用して送信される。さらに、ＬＴＥ用に現在、ＢＣＨは各フレームのサブフレーム＃０における中央の６個のリソース・ブロックで送信されることが想定されている。
【０００５】
システム情報の動的部分は、上述のような通常のデータ伝送と同様に、ＤＬ−ＳＣＨトランスポート・チャネル、又は少なくともＤＬ−ＳＣＨに類似したトランスポート・チャネルを使用して送信されることが想定されている。新たなＵＥは、電源オンに起因して、又はサービス圏外からの復帰に応じて、隣接セルから入ることにより、連続的にセルに「入る」とともに、当該ＵＥはシステム情報を瞬時に取得しなければならない。このため、システム情報（ＢＣＨ上の固定部分と、ＤＬ−ＳＣＨ又はＤＬ−ＳＣＨと類似したチャネル上の動的部分との両方）は、規則的に繰り返されるべきである。
【０００６】
一例として、ＬＴＥにおいて（ＢＣＨを使用して送信される）システム情報の固定部分は、４０ｍｓごとに繰り返されることが想定されている。また、システム情報の動的部分は、多かれ少なかれ規則的に繰り返されるべきである。しかしながら、システム情報の動的部分の異なる複数の部分は、いかに素早くＵＥがそれを取得するかという意味において、多かれ少なかれスピードが重視され、それにより多かれ少なかれ頻繁に繰り返される必要がある。これは、システム情報の動的部分が、システム情報メッセージ（System Information Message）とも称される、異なるいわゆるスケジューリング・ユニットに分割されるように、説明され得る。一般的に、スケジューリング・ユニット番号ｎに相当する情報は、スケジューリング・ユニット番号ｎ＋１に相当する情報よりも多く繰り返されるべきである。一例として、例えば、スケジューリング・ユニット＃１（ＳＵ−１）は（おおよそ）８０ｍｓごとにのみ繰り返されてもよく、スケジューリング・ユニット＃２（ＳＵ−２）は（おおよそ）１６０ｍｓごとにのみ繰り返されてもよく、スケジューリング・ユニット＃３（ＳＵ−３）は（おおよそ）３２０ｍｓごとにのみ繰り返されてもよい。
【発明の概要】
【課題を解決するための手段】
【０００７】
以下で説明する本発明は、低いＵＥの複雑度を可能にしつつ、同時に、これらの要求条件及び所望の特性を満足する、システム情報の動的部分の送信を可能にする。本明細書で提示する教示の一態様は、サブフレーム内のシステム情報の存在を示す特定のＲＮＴＩとともに、及びシステム情報の送信の最後を示す別の特定のＲＮＴＩとともに、規則的に発生する（システム情報）ウィンドウでシステム情報を送信することである。これにより、現在のウィンドウの期間中にそれ以上のシステム情報が予期されない場合に、ＵＥがサブフレームを受信し、復調し、及び復号することを控えることを可能にする。
【０００８】
一実施形態において、連続するサブフレームとして構築される下りリンク共有チャネル上でシステム情報を送信する方法は、時間ウィンドウが規則的に生じるシステム情報を送信するステップを含み、各時間ウィンドウは数個の連続するサブフレームに及ぶ。本方法は、さらに、所与の時間ウィンドウ内の何れのサブフレームがシステム情報を搬送するかを受信側ユーザ装置に指示するステップを含む。
【０００９】
当然ながら、本発明は上記の特徴及び利点に限定されることはない。実際に、当業者は、以下の詳細な説明を読むことによって、また添付の図面を見ることによって、追加的な特徴及び利点を理解するであろう。
【図面の簡単な説明】
【００１０】
【図１】定義済みの時間ウィンドウ内に収まるサブフレームを使用した動的なシステム情報の送信用の時間ウィンドウの繰り返しシーケンスを、重ね合わせるか又はさもなくば定義する無線ネットワークの一実施形態のブロック図である。
【図２】異なる繰り返し期間を有する異なるシステム情報時間ウィンドウの一実施形態の図である。
【図３】定義済みの時間ウィンドウ内に収まるサブフレームを使用した動的なシステム情報の送信用の時間ウィンドウの繰り返しシーケンスを、重ね合わせるか又はさもなくば定義する一実施形態の図である。
【図４】定義済みの時間ウィンドウ内に収まるサブフレームを使用した動的なシステム情報の送信用の時間ウィンドウの繰り返しシーケンスを、重ね合わせるか又はさもなくば定義するプログラム・ロジックの一実施形態のフロー図である。
【図５】定義済みの時間ウィンドウ内に収まるサブフレームに含まれる、動的なシステム情報を含む繰り返しシステム情報時間ウィンドウを処理するプログラム・ロジックの一実施形態のフロー図である。
【図６】システム情報の送信用の、可変サイズの繰り返しシステム情報時間ウィンドウの一実施形態の図である。
【図７】異なるシステム情報時間ウィンドウの一実施形態の図である。
【発明を実施するための形態】
【００１１】
図１は、１つ以上のＵＥ１２０にサービスを提供する無線基地局等の、１つ以上のネットワーク送信機１１０を含む無線ネットワーク１００の実施形態を示す。ネットワーク送信機１１０は、システム情報の動的部分を含む、１つ以上の（システム情報メッセージとも称される）スケジューリング・ユニット１３２を生成するベースバンド・プロセッサ１３０を含む。ネットワーク送信機１１０は、異なるシステム情報ウィンドウを使用して、スケジューリング・ユニット１３２をＵＥ１２０へ送信する。一実施形態において、「ＳＵ−ｎ」がｎ番目のスケジューリング・ユニットを表す図２に示すように、システム情報ウィンドウは、スケジューリング・ユニット１３２が最も頻繁に発生する繰り返し期間に対応する期間で発生する。最も頻繁に発生するスケジューリング・ユニット１３２に対応するシステム情報は、各システム情報ウィンドウ内で送信される一方で、発生回数の少ないスケジューリング・ユニット１３２は、システム情報ウィンドウのサブセット内でのみ送信される。ここで、図２においてシステム情報は共有領域として示されている。説明のみを目的として、２番目のスケジューリング・ユニット１３２に対応するシステム情報は２つごとのウィンドウ内で送信され、３番目のスケジューリング・ユニット１３２に対応するシステム情報は、４つごとのウィンドウ内で送信され、以下同様である。
【００１２】
一実施形態において、ネットワーク１００によって一定限度の量の送信期間が採用されている場合、各スケジューリング・ユニット１３２に対応する送信タイミングは事前に指定され得る。別の実施形態においては、送信されるスケジューリング・ユニット１３２用のより多くの指定値が指定される場合等に、ウィンドウ送信タイミングは、ＵＥ１２０へ伝達され得る。いずれにしても、システム情報の量が各ウィンドウにおいて同一ではない場合、可変のウィンドウサイズが使用され得る。一実施形態において、追加的なスケジューリング・ユニット１３２が送信される場合、ウィンドウサイズは増加される。
【００１３】
図３は、明確な開始点（特定のサブフレーム）を有し、（連続する）サブフレームの数において一定のサイズの規則的に発生するウィンドウ内で、動的な（変化する可能性のある）システム情報を送信する一実施形態を示す。同図において、システム情報ウィンドウは、より一般的には、システム情報の送信用に定義された繰り返し時間ウィンドウとみなされ、フレーム番号８＊ｋを有するフレームのサブフレーム＃５において始まり、１３サブフレームのサイズを有する。ネットワーク送信機１１０は、これらのウィンドウ内でシステム情報の動的部分のみを送信する。さらに、当該ウィンドウは、最も頻繁に繰り返されるシステム情報（ＬＴＥの用語では、上述の第１スケジューリング・ユニット１３２に対応するシステム情報）の繰り返しレートを満たすために十分な頻度で発生する（繰り返される）。
【００１４】
１つ以上の実施形態において、各繰り返し時間ウィンドウ内で、システム情報の送信は、いくつかの例外はあるものの、ＤＬ−ＳＣＨ（Ｌ１／Ｌ２制御チャネル上のシグナリングを用いる動的リソース及びトランスポート・フォーマット）上で、ユーザデータの送信と同様に実行される。特定のＵＥ１２０のＲＮＴＩを使用する代わりに、全ＵＥ１２０によって読み取られるシステム情報が送信されることを示す、特定のシステム情報ＲＮＴＩ（ＳＩ−ＲＮＴＩ：System-Information RNTI）は、対応するＬ１／Ｌ２制御シグナリングに含まれる。また、ウィンドウ内で送信されるシステム情報の最後部について、ＳＩ−ＲＮＴＩは、終端システム情報ＲＮＴＩ（ＥＳＩ−ＲＮＴＩ：End-of-Sytem-Information RNTI）で置き換えられる。ＥＳＩ−ＲＮＴＩの受信は、ＵＥに対して、それ以上のシステム情報がウィンドウ内で送信されることがないことを知らせる。ウィンドウ内で送信されるシステム情報がもはや存在しない場合、ＵＥ１２０は、Ｌ１／Ｌ２制御チャネルを復調及び復号することを停止することができ、それにより、ＵＥの省電力性能を向上させることができる。
【００１５】
また、システム情報は、連続するサブフレームにおいて送信される必要がない。このように、高い優先度の下りリンク・データ伝送用に、又はＴＤＤの場合に上りリンク伝送用にサブフレームが必要とされる場合等、サブフレームについてより差し迫った必要性が生じた場合に、ネットワーク送信機１１０は、一定のサブフレームにおいてシステム情報を送信することを動的に回避することができる。加えて、システム情報が実際に送信されるサブフレームのセットは、連続するウィンドウ間で同一である必要はない。さらに、ネットワーク送信機１１０は、ＵＥ１２０に関する事前知識を必要とすることなく（即ち、ＵＥ１２０がＬ１／Ｌ２制御チャネルを読み取る前に）、システム情報を搬送するために使用されるサブフレームの数を動的に変化させることができる。
【００１６】
非限定的な例として本明細書で提示する、システム情報の送信に関する教示は、いくつかの望ましい特性をもたらす。例えば、システム情報の動的部分の送信について、いくつかの要求条件及び望ましい特性が存在する。ＵＥの省電力の観点から、連続するサブフレームのセットにおける理想的なケースにおいて、システム情報の異なる部分を、相互に可能な限り時間的に近接して送信することが望ましい。これにより、ＵＥ１２０は、最小の受信時間の中で最大量のシステム情報を受信することが可能となり、それによりＵＥの受信時間及びＵＥの電力消費が低減される。
【００１７】
本明細書における教示は、繰り返し時間ウィンドウにおいてシステム情報を送信することをも可能にし、システム情報を搬送するために各ウィンドウ内で特定のサブフレームを選択可能である。送信優先度等のその時点の状況によって許容される場合、システム情報は、時間ウィンドウ内の連続する複数のサブフレームのセット内で送信され得る。
【００１８】
厳密にシステム情報がどこで送信されるか、即ち、厳密に所与の時間ウィンドウ内のサブフレームの何れのセットがシステム情報を搬送するかに関して、柔軟性を有することも望ましい。状況によっては、一部のフレームがシステム情報の伝送用に利用可能ではない可能性がある。例えば、一部のＴＤＤサブフレームが下りリンク伝送に利用可能でない可能性がある。別の例においては、遅延のために、一部の状況において、システム情報の送信用に使用される連続するサブフレームがそれほど多くないことは有益であり、このようにそれらのサブフレームは下りリンクのユーザデータの送信用に利用不可能となる。または、厳密に何れのサブフレームでシステム情報を送信するかを動的に（低遅延で）決定することも望ましい。
【００１９】
さらに、システム情報の異なる部分が繰り返されるレートに柔軟性があることが望ましい。このように、システム情報伝送のオーバヘッドの懸念が少なければ、全伝送帯域幅がより広帯域の場合等においてより高い繰り返しレート（より短い繰り返し期間）が使用され得る。システム情報を送信するために使用されるサブフレームの数には柔軟性があることが望ましい。一例として、全帯域幅がより狭い、又はセルがより大きい場合には、システム情報の所与のセットを送信するためにより多くのサブフレームが必要となる可能性がある。また、隣接リスト及びＰＬＭＮリスト等のシステム情報の量は、異なるセルについて異なるサイズである可能性がある。
【００２０】
本明細書における教示は、システム情報が繰り返し時間ウィンドウ内で送信されるが、システム情報を搬送するために繰り返し時間ウィンドウ内のサブフレームが使用される柔軟な（自由度のある）セクションを有する方法及び装置を提供する。図４は、ネットワーク送信機１１０からＵＥ１２０へシステム情報を送信するプログラム・ロジックの一実施形態を示す。この実施形態によれば、ネットワーク送信機１１０に含まれるベースバンド・プロセッサ１３０は、システム情報ウィンドウ内の１番目のサブフレームを初期化する（ステップ４００）。次に、ベースバンド・プロセッサ１３０は、現在のサブフレームをシステム情報の送信用に使用するかを判定する（ステップ４０２）。使用すると判定した場合、ベースバンド・プロセッサ１３０は、現在のサブフレームがウィンドウ内の最後のサブフレームかどうかを判定する（ステップ４０４）。現在のサブフレームが最後のサブフレームである場合、当該サブフレームがシステム情報を含むウィンドウ内の最後のサブフレームであることをＵＥ１２０に対して知らせるために、Ｌ１／Ｌ２制御チャネルＲＮＴＩは、ＥＳＩ−ＲＮＴＩに設定される（ステップ４０６）。さもなければ、当該サブフレームがシステム情報を含むが最後のサブフレームではないことをＵＥ１２０に対して知らせるために、制御チャネルＲＮＴＩは、ＳＩ−ＲＮＴＩに設定される（ステップ４０８）。対応するシステム情報は、ＤＬ−ＳＣＨにおいて現在のサブフレーム内で送信される（ステップ４１０）。ベースバンド・プロセッサ１３０は、最後のウィンドウ・サブフレームが送信されているかどうかを判定する（ステップ４１２）。送信されていないと判定した場合、当該ウィンドウ内の次のサブフレームについてステップ４０２−４１２が繰り返される。最後のサブフレームが送信された場合、システム情報送信プロセスは終了する（ステップ４１６）。
【００２１】
図５は、ネットワーク送信機１１０によって送信されるシステム情報を処理するためにＵＥによって実行されるプログラム・ロジックの一実施形態を示す。この実施形態によれば、ＵＥ１２０は、受信したサブフレームを復調及び復号するためのベースバンド・プロセッサ１４０を含む。ベースバンド・プロセッサ１４０内に含まれる、又はベースバンド・プロセッサ１４０に関連付けられたウィンドウ検出及び評価ユニット１５０は、ウィンドウ内で受信された１番目のサブフレームを初期化することによって、ウィンドウ受信プロセスを開始する（ステップ５００）。次に、ベースバンド・プロセッサ１４０は、現在のサブフレームのＬ１／Ｌ２制御チャネルを復調及び復号する（ステップ５０２）。ウィンドウ検出及び評価ユニット１５０は、現在のサブフレームについてＳＩ−ＲＮＴＩ又はＥＳＩ−ＲＮＴＩが検出されたかどうかを判定する（ステップ５０４）。検出されたと判定した場合、ベースバンド・プロセッサ１４０は、対応するＤＬ−ＳＣＨトランスポート・ブロックを復調及び復号することにより、それらによって提供されるシステム情報を取り出す（ステップ５０６）。次に、ウィンドウ検出及び評価ユニット１５０は、制御チャネルのＲＮＴＩがＥＳＩ−ＲＮＴＩであるかどうか等、現在のサブフレームがウィンドウ内の最後のフレームであるか、又はシステム情報を含む最後のサブフレームであるかどうかを判定する（ステップ５０８）。何れの条件も成立しない場合、ウィンドウ内の次のサブフレームについてステップ５０２−５０８が繰り返される（ステップ５１０）。それ以上のシステム情報が来ないことを示す、最後のサブフレーム又はＥＳＩ−ＲＮＴＩが検出された場合、ベースバンド・プロセッサ１４０は、ＤＬ−ＳＣＨトランスポート・ブロックを復調及び復号することを停止する（ステップ５１２）。このようにしてＵＥ１２９は、システム情報ウィンドウにおける最初のサブフレームで始まる制御チャネルを復調及び復号するとともに、ＥＳＩ−ＲＮＴＩが検出されるか、又は最後のウィンドウのサブフレームが受信されるまで、特定のシステム情報ＲＮＴＩについてチェックする。
【００２２】
上述のように、（スケジューリング・ユニット１３２に相当する）システム情報の一部の部分は、システム情報のその他の部分と同じ頻度で繰り返される必要がなくてもよく、このことは、一定のウィンドウが、他のウィンドウよりも多くのデータ（多くのスケジューリング・ユニット１３２）を含むであろうことを意味する。このため、より多くのシステム情報（多くのスケジューリング・ユニット１３２）が送信される時点においてより長いウィンドウであるように、ウィンドウサイズは長さが変化してもよい。図６は、可変長のウィンドウの実施形態の図を提供する。
【００２３】
なお、ウィンドウサイズは、無線アクセスの仕様において指定されていてもよく、又は設定変更可能であってもよい。設定変更可能なウィンドウサイズの場合、ＵＥ１２０は、実際のウィンドウサイズについて（システム情報を介して）通知される前には、既定の（大きな）ウィンドウサイズを使用することができる。また、ＲＮＴＩは、システム情報についての詳細等の、単なるシステム情報以上を示してもよい。一実施形態において、ＥＳＩ−ＲＮＴＩ１、ＥＳＩ−ＲＮＴＩ２、ＥＳＩ−ＲＮＴＩ３、...等の、対応する複数のＥＳＩ−ＲＮＴＩとともに、ＳＩ−ＲＮＴＩ１、ＳＩ−ＲＮＴＩ２、ＳＩ−ＲＮＴＩ３、...等の、いくつかの異なるＳＩ−ＲＮＴＩが使用され得る。
【００２４】
一実施形態においては、図７の上部に示すように、同時に送信される複数のスケジューリング・ユニット１３２は、同一のシステム情報ウィンドウを使用する。あるいは、図７の下部に示すように、複数のスケジューリング・ユニット１３２は、異なるシステム情報ウィンドウを使用して送信される。何れかの実施形態においても、システム情報は、サブフレーム内のシステム情報の存在を示す特定のＲＮＳＩとともに、及び、システム情報送信の終端を示す別の特定のＲＮＴＩとともに、規則的に発生するシステム情報ウィンドウにおいて送信される。
【００２５】
当然ながら、他の変形も意図している。従って、上述の説明及び添付図面は、システム情報の送信について本明細書で教示した方法及び装置の非限定的な例を示している。また、本発明は、上述の説明及び添付図面に限定されることはない。その代わりに、本発明は、以下の特許請求の範囲及びそれらの法的な均等物によってのみ限定される。
【図１】
0005514796.tif 000002
【図２】
0005514796.tif 000003
【図３】
0005514796.tif 000004
【図４】
0005514796.tif 000005
【図５】
0005514796.tif 000006
【図６】
0005514796.tif 000007
【図７】
0005514796.tif 000008